(57)【要約】【課題】光源と光偏向素子間に配置するシリンドリカルレンズの傾き角度により発生する光束のネジレ量を小さく抑える構成とし、被走査面上の結像光束径の増大を抑えた光走査装置を提供する。【解決手段】上記課題は、光源と前記光偏向素子との間の光路中に、光源側から順に、コリメータレンズ、開口、シリンドリカルレンズ、球面レンズ、回転多面鏡、Ｆθレンズ、被走査面を配置し、前記開口の直径をδ、前記被走査面に走査結像される光束の回折的直径をＤ、前記シリンドリカルレンズの母線との回転角度をγ、共役倍率をＭｔとする時、Ｍｔ≦Ｄ/δγ式を満たすことを特徴とする光走査装置として目的を達成する。【選択図】図１
2007233180.tif 000002
【特許請求の範囲】
【請求項１】
複数の出射個所を有する光源から出射された複数の光束を偏向走査するための光偏向素子、前記偏向走査された複数の光束を被走査面に走査結像させる走査光学素子から構成される光走査装置において、
前記光源が有する複数の出射個所は、ほぼ一直線上に配列されており、当該直線は、前記複数の出射個所から出射された複数の光束が偏向走査される平面に対して傾斜されており、
前記光源と前記光偏向素子との間の光路中に、光源側から順に、前記光源から出射された光束を平行光束とするための結合光学素子、前記光束の偏向走査される平面にほぼ垂直な方向に母線を有し正のパワーを有するシリンドリカルレンズ及び正のパワーを有する球面レンズが配置されており、
前記結合光学素子の後側焦平面に光束の径を制限するための開口が配置されており、
前記シリンドリカルレンズと前記球面レンズは前記光束の偏向走査される平面内においてアフォーカル系をなし、かつ前記開口と前記光偏向素子が前記光束の偏向走査される平面内において共役関係に配置されており、
前記球面レンズの前側焦平面と前記被走査面は前記光束の偏向走査される平面内において共役関係に配置されており、
前記開口の前記光束の偏向走査される平面に垂直な方向の径をδ、前記被走査面に走査結像される光束の回折的直径をＤ、前記シリンドリカルレンズの母線と前記光束の偏向走査される平面に垂直な方向とのなす角度をγ、前記球面レンズの前側焦平面から被走査面への前記光束の偏向走査される平面内における共役倍率をＭｔとする時、次の（１）式を満たすことを特徴とする光走査装置。
Ｍｔ≦Ｄ/δγ                                  ・・・（１）
【請求項２】
請求項１記載の光走査装置において、
前記シリンドリカルレンズは母線および光軸に垂直な基準面を有し、当該母線の角度を調節する手段を備えておらず、当該母線の角度を調節することなく、固定された台座に前記基準面を接して取り付けられることを特徴とする光走査装置。
【請求項３】
感光体と、その感光体を帯電する帯電装置と、光線の走査により記録されるべき画像情報に対応した静電潜像を前記感光体上に形成する光走査装置と、前記静電潜像にトナーを付着してトナー像を形成する現像装置と、前記トナー像を記録媒体上に転写する転写装置と、転写したトナー像を記録媒体上に定着する定着装置とを備えた画像形成装置において、
前記光走査装置が、請求項１または2記載の光走査装置であることを特徴とする画像形成装置。
【発明の詳細な説明】
【技術分野】
【０００１】
本発明は、光走査装置及びこれを使用した画像形成装置に関するものである。
【背景技術】
【０００２】
レーザを光源とする光走査装置の光学系は、一般的に、レーザから出射したレーザビームをコリメータレンズにより平行化し、回転多面鏡とFθレンズとにより被走査面を走査し、またシリンドリカルレンズとFθレンズにより被走査面に結像させている。
【０００３】
最近、画像形成装置等に使用される光走査装置においては、印刷速度の高速化等のために、複数のアレイ状光源を用い、光源と光偏向素子の間に結合光学素子、シリンドリカルレンズ、球面レンズを配置して、結像光学素子の後側焦平面上の瞳面と光偏向素子を共役関係とする構成が基本的な構成の一つとして知られている。（例えば、特許文献１参照）
さらに、印刷品質の高精細化、印刷幅の拡大、印刷速度の高速化等の要求が高まっており、光学系の結像性能もますます厳しくなってきている。光学系の結像性能は、レンズ、ミラー等の加工、組立精度と、レンズ、ミラーの収差とレーザビームの回折とによって決定される。従って、レンズ、ミラー等の加工精度の向上と共に、それらの組立、調整の向上が求められている。
【０００４】
光学系の結像性能を低下させる要因の一つに、シリンドリカルレンズの回転に伴う光束に２次元的な非対称性であるいわゆるネジレが生じて被走査面上の光束径が増大する問題がある。これを改善する方法としては、シリンドリカルレンズの光軸を回転軸とした回転角度を調整することにより前記ネジレの量を抑制することが可能であることが示されている（例えば、特許文献２及び特許文献３参照）。
【特許文献１】特開昭６３−２０８０２１号公報
【特許文献２】特開平７−２４８４６１号公報
【特許文献３】特開平６−１８８０１号公報
【発明の開示】
【発明が解決しようとする課題】
【０００５】
しかしながら、上述した特許文献２及び３に記載されたように、シリンドリカルレンズの回転角度を調整する場合には、角度調整のための装置を必要とするだけでなく、角度調整に手間取ったり、生産の工数の増大を伴う問題がある。
【０００６】
本発明は、上述した従来技術における問題点を解決すべくなされたもので、その目的は、光源と光偏向素子間に配置するシリンドリカルレンズの傾き角度により発生する光束のネジレ量を小さく抑える構成とし、被走査面上の結像光束径の増大を抑えた光走査装置を提供することにある。
【課題を解決するための手段】
【０００７】
上記目的を達成するために、本発明による第１の手段としては、複数の出射個所を有する光源から出射された複数の光束を偏向走査するための光偏向素子、前記偏向走査された複数の光束を被走査面に走査結像させる走査光学素子から構成される光走査装置において、
前記光源が有する複数の出射個所は、ほぼ一直線上に配列されており、当該直線は、前記複数の出射個所から出射された複数の光束が偏向走査される平面に対して傾斜されており、
前記光源と前記光偏向素子との間の光路中に、光源側から順に、前記光源から出射された光束を平行光束とするための結合光学素子、前記光束の偏向走査される平面にほぼ垂直な方向に母線を有し正のパワーを有するシリンドリカルレンズ及び正のパワーを有する球面レンズが配置されており、
前記結合光学素子の後側焦平面に光束の径を制限するための開口が配置されており、
前記シリンドリカルレンズと前記球面レンズは前記光束の偏向走査される平面内においてアフォーカル系をなし、かつ前記開口と前記光偏向素子が前記光束の偏向走査される平面内において共役関係に配置されており、
前記球面レンズの前側焦平面と前記被走査面は前記光束の偏向走査される平面内において共役関係に配置されており、
前記開口の前記光束の偏向走査される平面に垂直な方向の径をδ、前記被走査面に走査結像される光束の回折的直径をＤ、前記シリンドリカルレンズの母線と前記光束の偏向走査される平面に垂直な方向とのなす角度をγ、前記球面レンズの前側焦平面から被走査面への前記光束の偏向走査される平面内における共役倍率をＭｔとする時、次の（１）式を満たすことを特徴とする光走査装置としたものである。
【０００８】
Ｍｔ≦Ｄ/δγ                                  ・・・（１）
本発明による第２の手段としては、前記第１の手段記載の光走査装置において、前記シリンドリカルレンズは母線および光軸に垂直な基準面を有し、当該母線の角度を調節する手段を備えておらず、当該母線の角度を調節することなく、固定された台座に前記基準面を接して取り付けられることを特徴とする光走査装置としたものである。
【０００９】
本発明による第３の手段としては、感光体と、その感光体を帯電する帯電装置と、光線の走査により記録されるべき画像情報に対応した静電潜像を前記感光体上に形成する光走査装置と、前記静電潜像にトナーを付着してトナー像を形成する現像装置と、前記トナー像を記録媒体上に転写する転写装置と、転写したトナー像を記録媒体上に定着する定着装置とを備えた画像形成装置において、前記光走査装置が前記第１の手段または第２記載の光走査装置であることを特徴とする画像形成装置としたものである。
【発明の効果】
【００１０】
本発明によれば、上記構成を採用することによって、光源と光偏向素子間に配置するシリンドリカルレンズの傾き角度により発生する光束のネジレ量を小さく抑えて、被走査面上の結像光束径の増大を抑えた光走査装置の提供を可能としたものである。
【発明を実施するための最良の形態】
【００１１】
本発明においては、シリンドリカルレンズ自体においても前記ネジレが発生し、このシリンドリカルレンズ自体によるネジレの発生を抑制するために検討の結果、光源から出射された光束を平行光束とするためのコリメータレンズ等の結合光学素子とシリンドリカルレンズの間で、前記結合素子の後側焦平面に、光束の径を制限するための開口を配置し、シリンドリカルレンズと回転多面鏡等の光偏向素子との間に配置される正のパワーを有する球面レンズとはアフォーカル系をなし、前記開口と光源から出射された光束を偏向走査するための回転多面鏡等の光偏向素子を前記光束の偏向走査される平面内において共役関係に配置し、前記シリンドリカルレンズと光偏向素子との間に配置される正のパワーを有する球面レンズの前側焦平面と偏向走査された光束を走査結像させる被走査面とを、前記光束が偏向走査される平面内において共役関係に配置し、前記開口の径をδ、前記被走査面に走査結像される光束の回折的直径をD、前記球面レンズの前側焦平面から被走査面への前記光束が偏向走査される平面内における共役倍率をＭｔとするとき、Ｍｔ≦Ｄ/δγの関係式を満たすように、前記結合光学素子、開口、シリンドリカルレンズ、球面レンズ、光偏向素子及び被走査面を配置することによって、シリンドリカルレンズの母線の回転角度による被走査面上で光束に与える影響を小さくして、良好な結像性能を発揮できるようにしたものである。
【００１２】
以下、本発明に係わる光走査装置の一実施形態を、図面に基づいて説明する。
【００１３】
図１は、本発明の一実施形態に係わる光走査装置の概略構成を示す図で、図において１は実質的に一直線に配列された２個の出射個所を有する半導体レーザアレイからなる光源、２は結合光学素子であるコリメータレンズ、３は走査方向にほぼ垂直な方向に母線を有し、正のパワーを有するシリンドリカルレンズ、４は正のパワーを有する球面レンズ、５は光偏向素子である６面の反射面を有する回転多面鏡、６は走査光学素子である６１乃至６３の３群３枚構成のFθレンズ、７は画像形成装置に取り付けられる感光ドラムからなる被走査面、８は直径δを有する開口、９は球面レンズ４の前側焦平面（シリンドリカルレンズ３の後側焦平面）、１０は光学系の中心線、１１は光束の近軸光線である。なお、この図では、図面の簡略化のために、ほぼ一直線に配列された２個の出射個所を有する半導体レーザアレイからなる光源１の内、１個の出射光についてのみ示し、他の出射光については省略している。
【００１４】
光源１から出射され発散する光束１１は、コリメータレンズ２によって光学系の中心線１０に平行な光束にされ、開口８により光束径を制限され、シリンドリカルレンズ３により平面９に収束される。平面９と被走査面７は、主走査方向に関して共役関係に配置されており、また、シリンドリカルレンズ３と球面レンズ４は、主走査方向に関してアフォーカル系をなしており、平面９を通過して発散する光束１１は、球面レンズ４によって再び平行光とされ、回転多面鏡５によって、回転多面鏡５の回転に伴い反射方向を変えながら偏向され、この偏向された光束１１は、Fθレンズ６によって被走査面７に再び収束、結像し、光源１からの出射光に対応して被走査面７上に走査線を形成する。
【００１５】
この実施形態においては、この走査線の形成に当り、シリンドリカルレンズ３の母線角度が回転された状態でシリンドリカルレンズ３が配置された場合に、被走査面７上で走査光束が主走査方向に増大する場合があり、これを特定の配置関係とすることによって、抑制可能としている。この点について、図２〜図８に基づいて説明する。
【００１６】
先ず、図２〜図５によってシリンドリカルレンズ３の母線角度が回転されていない場合における走査線の形成について説明する。
【００１７】
図２乃至図５に、光源１から被走査面７間の光学系構成の概略を示す。これらの図において、図１と同一の構成のものについては同一の符号を付してあり、１２は、光源１の他の出射個所から出射される光束の近軸光線を示し、光源１の２個所の出射個所は、ほぼ一直線上に配列されており、当該直線は、光束１１及び１２が偏向走査される平面に対して小さい角度で傾斜して配置されている。また、これらの図中で、５は、回転多面鏡５の反射面のみを示している。
【００１８】
さらに、この実施形態に関する図中及び記述において、光束が偏向走査される平面内にあり光学系の中心線１０に平行な方向にＺ軸、光束が偏向走査される平面内にあり光学系の中心線１０に垂直な方向にＸ軸、Ｚ軸およびＸ軸に垂直な方向にＹ軸を取る。本明細書において、このＸ軸に平行な方向を主走査方向、Ｙ軸に平行な方向を副走査方向、ＸＺ平面を主走査平面、ＹＺ平面を副走査平面と称する。
【００１９】
図２は、主光線の光束が偏向走査される平面（主走査平面）内について示す。
【００２０】
半導体レーザ１から出射された光束１１および１２はコリメータレンズ２により屈折され、コリメータレンズ２の後側焦平面に配置された開口８において相互で光束１１及び１２の光学系の光学系の中心線１０と交わる。開口８と回転多面鏡５は主走査方向に関して共役関係に配置されているので、開口８を通過した光束１１および１２はシリンドリカルレンズ３および球面レンズ４を介して回転多面鏡５にて再びと交わる。その後Fθレンズ６により屈折作用を受けて特定の距離離れて被走査面７に到達する。
【００２１】
図２から明らかなように、光源１上で光束１１、光束１２がＸ軸において異なる座標に位置するために、コリメータレンズ２の透過後の光束の進行方向が屈折されて開口８で交差し、開口８通過後にシリンドリカルレンズ３と球面レンズ４によって再び回転多面鏡５で交差させ、光束１１と１２が発散させられている。
【００２２】
また、回転多面鏡５の寸法を必要最小限に抑えるためには光束１１と１２の位置を一致させることが望ましく、この目的で開口８と回転多面鏡５は主走査方向に関して共役関係に配置して光束１１と１２を回転多面鏡５上で交わらせ、回転多面鏡５における光束１１と１２の位置を一致させている。
【００２３】
図３には光束１１、光束１２の近軸光線を主走査平面について示し、光束１１、１２は同様なので、光束１１で代表させて示してある。光源１から出射され、発散する光束１１はコリメータレンズ２により光学系の中心線１０に平行な光束にされ、直径がδの開口８により光束径をδに制限され、シリンドリカルレンズ３により平面９に収束される。平面９と被走査面７は主走査方向に関して共役関係に配置されているので、平面９を通過して発散する光束１１は球面レンズ４およびFθレンズ７を介して被走査面７にて再び収束され結像する。
【００２４】
図４には、光束１１、光束１２の主光線を副走査平面について示す。半導体レーザ１から出射された光束１１および１２はコリメータレンズ２により屈折され、コリメータレンズ２の後側焦平面に配置された開口８において両光束１１と１２は交差する。シリンドリカルレンズ３は副走査方向に作用を及ぼさないので、シリンドリカルレンズ３の透過前後で光束１１、光束１２の進行方向は変化せず、球面レンズ４で屈折作用を受けて回転多面鏡５にてある特定の距離δＹ５離れる。回転多面鏡５と感光ドラム７は共役関係になっているため、被走査面７での光束１１、光束１２の距離δＹ７は、δＹ５に共役倍率乗じた値となり、光束１１と１２は、副走査平面においても相互で所定間隔離隔した位置で結像されることになる。
【００２５】
図５には、光束１１、光束１２の近軸光線を副走査平面について示す。光束１１，１２は同様なので、光束１１で代表して示している。半導体レーザ１から出射され、発散する光束１１はコリメータレンズ２により光学系の中心線１０に平行な光束にされ、球面レンズ４により回転多面鏡５に収束される。回転多面鏡５と被走査面７は副走査方向に関して共役関係に配置されているので、回転多面鏡５をから発散した光束１１はFθレンズ６を介して感光ドラム面７にて再び収束され結像する。
【００２６】
以上のように、シリンドリカルレンズ３の母線角度が回転されていない場合における走査線の形成状態について説明したが、図６〜図８によりシリンドリカルレンズ３の母線角度が回転されている場合について説明する。
【００２７】
図６および図７に、前記シリンドリカルレンズ３の母線と副走査方向であるＹ軸のなす角度γの影響の関係を示し、図６はシリンドリカルレンズ３の母線が回転されていない場合を、また、図７はシリンドリカルレンズ３の母線が角度γで回転された場合を示す。
【００２８】
図６（Ａ）はシリンドリカルレンズ３に光束径がδの光束１１が照射された光束入射側から見た状態を示す。図において、３０はシリンドリカルレンズ３の母線である。シリンドリカルレンズ３の光束入射側面の光学系の中心線１０上における接平面内に、座標軸Ｘ３およびＹ３を取り、座標軸Ｘ３は走査方向、座標軸Ｙ３は副走査方向として、夫々＋側を（＋）で示す。母線３０は座標軸Ｙ３と平行となっている。
【００２９】
図６（Ｂ）はシリンドリカルレンズ３および平面９の走査平面内について示す。平面９内の走査方向に座標軸Ｘ９を取る。副走査方向に前記開口８により幅δに制限された光束がシリンドリカルレンズ３に入射し、屈折作用を受け、平面９上に収束される。
【００３０】
図６（Ｃ）は平面９を光束入射側から見た状態を示す。平面９内に、座標軸Ｘ９およびＹ９を取り、座標軸Ｘ９は走査方向、座標軸Ｙ９は副走査方向でとして、夫々＋側を（＋）で示す。シリンドリカルレンズ３は副走査方向にパワーを有しないので副走査方向の幅δは変化せず、光束は座標軸Ｙ９方向に平行に伸延した形状となる。
【００３１】
図７（Ａ）はシリンドリカルレンズを光束入射側から見た状態を示す。母線３０は座標軸Ｙ３に対して角度γをなすようにシリンドリカルレンズ３は回転されている。従って、母線位置は座標軸Ｙ３（＋）において座標軸Ｘ３（−）、座標軸Ｙ３（−）において座標軸Ｘ３（＋）となる。
【００３２】
図７（Ｂ）はシリンドリカルレンズ３および平面９の走査平面内について示す。図において、３１は座標軸Ｙ３（＋）におけるシリンドリカルレンズ、３２は座標軸Ｙ３（−）におけるシリンドリカルレンズであり、Ｙ３座標の変化に伴い座標軸Ｘ３方向にずれた状態を示している。３３はシリンドリカルレンズ３１を透過した光束、３４はシリンドリカルレンズ３２を透過した光束である。
【００３３】
光束３３および３４は夫々シリンドリカルレンズ３１および３２の屈折作用を受け、平面９上に収束するが、収束位置は母線３０の延長上となるため、座標軸Ｙ３（＋）部を透過した光束３３と座標軸Ｙ３（−）部を透過した光束３４は座標軸Ｘ９軸上の位置が異なり、距離δＸ９だけ離隔される。
【００３４】
図７（Ｃ）は平面９を光束入射側から見た状態を示す。光束は座標軸Ｙ９方向に対してγの角度に伸延した形状となる。光束３３と光束３４のＸ軸方向の隔離距離δＸ９は、γが小さいとして（２）式で与えられる。
【００３５】
δＸ９＝δγ                                  ・・・（２）
図８はシリンドリカルレンズ３から被走査面７までの走査平面内の光束について示す。図において、３５はシリンドリカルレンズ３１の座標軸Ｙ３（＋）上を透過した光束のうち図７（Ａ）の３８を通過した光線、３６はシリンドリカルレンズ３２の座標軸Ｙ３（−）上を透過した光束のうち図７（Ａ）の３７を通過した光線であり、平面９においての隔離距離はδＸ９である。平面９と被走査面７は倍率Ｍｔの共役関係になっているので、被走査面７における光束３５と光束３６の隔離距離δＸ７は（３）式で与えられる。
【００３６】
δＸ７＝ＭｔδＸ９                                  ・・・（３）
被走査面７上における光束のネジレ量が回折的直径Ｄを上回ると結像光束径の増大が生じる事を考慮し、（２）式および（３）式から（１）式が得られる。ここで回折的直径Ｄとは、光束の波長をλ、ＦナンバをＦとしたとき、  Ｄ＝（４λ／π）・Ｆ  を意味するものである。
【００３７】
Ｍｔ≦Ｄ/δγ                                  ・・・（１）
以上のことから、倍率Ｍｔ及び開口８の直径δを前記（１）式を満足するように選定すれば、シリンドリカルレンズ３の母線が角度γで回転されていても、光束ネジレ量を許容範囲内とすることができ、被走査面上での結像光束径の増大を抑制できることが明らかである。
【００３８】
次に、表１には、図１で示した光走査装置における光学素子の諸元を示し、表中のａ〜ｃは１群２枚レンズからなるコリメータレンズ２の屈折面、ｄは開口８、ｅ及びｆはシリンドリカルレンズ３の屈折面、ｇおよびｈは球面レンズ４の屈折面、ｉは回転多面鏡５の反射面、ｊ乃至ｏはＦθレンズ６を構成する３枚のレンズ６１乃至６３のそれぞれの屈折面、ｐは被走査面である。ｍの屈折面は、主走査方向曲率半径Ｒ（ｍｍ）、副走査方向曲率半径ｒ（ｍｍ）、主走査方向をＸ、副走査方向をＹ、光軸方向をＺとした場合に、次の（４）式から（６）式で求められれる。
【表１】
2007233180.tif 000003
【００３９】
Ｚ=ｆ０（Ｘ，Ｙ）＋ｆ２（Ｘ，Ｙ）                      ・・・（４）
ここでｆ０（Ｘ，Ｙ）は基本的なトーリック形状を表し、ｆ２（Ｘ，Ｙ）は回転非対称な追加関数を表す。光軸との交点を原点としたローカル座標系のＸＺ平面における断面が次式（５）で表され、ＸＺ平面にあり、Ｘ軸に平行で、Z軸に沿って原点からｒの距離にある軸について回転対称である。
【数１】
2007233180.tif 000004
【００４０】
従って、ＹＺ平面における断面は曲率半径ｒの円となる。ｆ２（Ｘ，Ｙ）は次式（６）で表される。
【００４１】
ｆ２（Ｘ，Ｙ）= ΣＰｌｍＸｌＹｍ                              ・・・（６）
ここでＰlmは定数である。
【００４２】
また、面番号ｍの追加関数の係数は、Ｐ１２=-1.4E-6、及びＰ２２=7.74E-7である。
【００４３】
回転多面鏡５の面数は６面であり、内接円半径は３２ｍｍ、光束入射角度は１．１９ラジアンである。
【００４４】
又その他の諸元は表２に示す通りである。
【表２】
2007233180.tif 000005
【００４５】
これらの諸元から前記（１）式の関係を求めると
Ｄ/δγ＝６０×１０−３／２．３×０．８７４×１０−２＝２．９９８となり、Ｍｔ＝２．８よりも大となり、前記（１）式の関係、Ｍｔ≦Ｄ/δγを満足することが明らかである。従って、シリンドリカルレンズ３の母線の回転角γが０．８７４×１０−２、即ち、０．５度程度であれば、適切に結像が可能となっている。このことから、Ｍｔ及びδを適当に選択すれば、シリンドリカルレンズ３が少々回転されて配置されたとしても、光束ネジレ量を許容範囲とすることができ、シリンドリカルレンズ３の回転角の調整が不要となる。それ故、図９に示すように、シリンドリカルレンズ３は、特に、母線３０の角度を調節する機構を備えることなく、固定された台座３８に、シリンドリカルレンズ３の光軸及び母線３０に垂直な基準面３７を接して取り付ける簡単な構造を採用することができ、大きなコスト削減を可能とする。
【００４６】
さらに、前述の実施形態の光走査装置を使用した本発明による一実施形態の画像形成装置について、図１０に基づき説明すると、図１０は、本発明による一実施形態の画像形成装置の概略構成を示す図である。
【００４７】
トナー像を形成するためのドラム形状の感光体１８は、図示しないモータによって一定の周速度で回転駆動している。この感光体１８は、帯電装置２４によって特定の極性に均一に帯電された後、前述の本発明による一実施形態の光走査装置２０からの光線２１により露光され、記録されるべき画像情報に対応した静電潜像が形成される。この露光位置の回転方向下流側には、現像装置２２が配置され、現像装置２２により感光体１８上にトナー像が形成される。
【００４８】
記録媒体である印刷用紙２３は、搬送ローラ対等の搬送装置１４で搬送される。転写装置１５で印刷用紙２３の背面に、トナーと逆極性の帯電を行うことにより、感光体１８上のトナー像を印刷用紙２３上に転写する。転写後、転写されなかった残留トナーは、清掃装置１６によって除去される。感光体１８よりトナー像が転写された印刷用紙２３は、定着装置１７へ搬送される。
【００４９】
定着装置１７は、一定温度に加熱制御したヒートローラ１７ａと、それに圧接する加圧ローラ１７ｂとから構成されている。ここを通過するときに、印刷用紙２３上に保持されたトナー像は、加圧溶融され、印刷用紙２３上に定着される。この定着処理後、印刷用紙２３は、画像形成装置の外部に排出、ストックされる。
【００５０】
なお、この画像形成装置で使用される光走査装置においては、前述の図１で示す本発明の一実施形態の光走査装置において、Ｆθレンズ６から出射された光束は、反射鏡で所定角度屈折されて図１０で示す光線２１を形成して感光体１８の被走査面７上で結像されるように構成されている。
【００５１】
この一実施形態の画像形成装置では、前述の実施形態の光走査装置を使用するので、印刷の高精細化、印刷速度の高速化の可能な安価な画像形成装置を提供することができる。
【産業上の利用可能性】
【００５２】
本発明は、レーザプリンタ等の画像形成装置において、高精細化、印刷速度の高速化等要求に対して特に有効に利用可能である。
【図面の簡単な説明】
【００５３】
【図１】本発明の一実施形態に係わる光走査装置の概略構成を示す平面図である。
【図２】図１に示す光走査装置の主走査面上で見た場合の光学素子の配置関係と光束１１及び１２光束の近軸光線との関係を示す図である。
【図３】図１に示す光走査装置の主走査面上で見た場合の光学素子の配置関係と光束１１の近軸光線との関係を示す図である。
【図４】図１に示す光走査装置の副走査面上で見た場合の光学素子の配置関係と光束１１及び１２光束の近軸光線との関係を示す図である。
【図５】図１に示す光走査装置の副走査面上で見た場合の光学素子の配置関係と光束１１の近軸光線との関係を示す図である。
【図６】シリンドリカルレンズの母線の傾きの関係を説明する図で、（Ａ）は、シリンドリカルレンズの光束入射側から見た図、（Ｂ）は、（Ａ）の上方から見た図、（Ｃ）は、平面９における結像関係を示す図である。
【図７】シリンドリカルレンズの母線の傾きの関係を説明する図で、（Ａ）は、シリンドリカルレンズの光束入射側から見た図、（Ｂ）は、（Ａ）の上方から見た図、（Ｃ）は、平面９における結像関係を示す図である。
【図８】母線の傾きのあるシリンドリカルレンズを使用した場合におけるシリンドリカルレンズから被走査面までの走査平面内における光束の最周縁部における近軸光線の屈折関係を示す図である。
【図９】シリンドリカルレンズを台座に取り付けた平面図である。
【図１０】本発明による一実施形態の画像形成装置の概略構成を示す図である。
【符号の説明】
【００５４】
１    光源
２    コリメータレンズ
３    シリンドリカルレンズ
４    球面レンズ
５    回転多面鏡
６    Ｆθレンズ
７    被走査面
８    開口
９    球面レンズ４の前側焦平面（シリンドリカルレンズ３の後側焦平面）
１０    光学系の中心線
１１    光束
１２    光束
１４    搬送装置
１５    転写装置
１６    清掃装置
１７    定着装置
１８    感光体
２０    光走査装置
２１    光線
２２    現像装置
２３    印刷用紙
３０    母線
３１    座標軸Ｙ３（＋）におけるシリンドリカルレンズ
３２    座標軸Ｙ３（−）におけるシリンドリカルレンズ
３３    シリンドリカルレンズ３１を透過した光束
３４    シリンドリカルレンズ３２を透過した光束
３５    シリンドリカルレンズ３１の座標軸Ｙ３（＋）部を透過した光束の最周縁部における光線
３６    シリンドリカルレンズ３２の座標軸Ｙ３（−）部を透過した光束の最周縁部における光線
Ｍｔ        球面レンズの前側焦平面から被走査面への前記光束の偏向走査される平面内における共役倍率
δ      開口の前記光束の偏向走査される平面に垂直な方向の径
Ｄ      被走査面に走査結像される光束の回折的直径
γ      シリンドリカルレンズの母線と前記光束の偏向走査される平面に垂直な方向とのなす角度
【図１】
2007233180.tif 000006
【図２】
2007233180.tif 000007
【図３】
2007233180.tif 000008
【図４】
2007233180.tif 000009
【図５】
2007233180.tif 000010
【図６】
2007233180.tif 000011
【図７】
2007233180.tif 000012
【図８】
2007233180.tif 000013
【図９】
2007233180.tif 000014
【図１０】
2007233180.tif 000015